(57)【特許請求の範囲】
【請求項１】
合成樹脂により中空状に形成された樹脂製床板において、
上記樹脂製床板の側面には、その内部に連通する通孔が形成され、この通孔は空気を通して液体を遮断する膜体によって閉塞されていることを特徴とする樹脂製床板。
【発明の詳細な説明】
【０００１】
【発明の属する技術分野】
この発明は合成樹脂により中空状に形成された樹脂製床板に関する。
【０００２】
【従来の技術】
たとえば、病院などで用いられるベッドは、通常ベッドフレ−ムを有し、このベッドフレ−ムには複数に分割された床板が着脱自在に架設されている。この床板上にはマットレスが載置され、このマットレス上に利用者が仰臥するようになっている。
【０００３】
病院などにおいて、ベッドを利用する利用者が代わる場合、ベッド全体を殺菌消毒することが要求されることがある。そこで、上記床板を温水によって容易かつ確実に洗浄したり、加熱消毒できるようにするため、その床板を合成樹脂で形成するということが行われている。
【０００４】
床板を合成樹脂で形成する場合、使用材料を少なくしたり、軽量化を計るために、この床板をブロ−成形や回転成形などで中空状に形成するということが行われている。
【０００５】
中空状に形成された床板は、通常、気密構造となっている。そのため、中空状の床板を上述したように温水で洗浄したり、加熱消毒すると、その内部の空気が膨張するから、その圧力で床板が変形したり、損傷するということがある。
【０００６】
気密構造の床板に穴をあけて内部を外部に連通させれば、空気の膨張による内部圧力の上昇が防止できるから、床板が変形したり、損傷するということがなくなる。
【０００７】
しかしながら、床板に穴があいていると、洗浄や消毒時にその穴から内部に洗浄液や消毒液が入り込むから、その水切りに手間が掛かったり、残留した液体によって内部に汚れが発生するなどのことがある。
【０００８】
【発明が解決しようとする課題】
このように、合成樹脂により中空状に形成された床板は、気密構造であると、温水での洗浄時や加熱消毒時などの温度上昇によって内部の空気が膨張して変形したり、損傷するということがあり、穴をあけて内部を外部に連通させると、内部に洗浄液や消毒液が入り込むから、その水切りに手間が掛かったり、内部汚れの原因となるなどのことがあった。
【０００９】
この発明は中空状に形成した場合に、加熱されても変形や損傷することがなく、しかも洗浄時などに内部に液体が浸入することがないようにした樹脂製床板を提供することにある。
【００１０】
【課題を解決するための手段】
請求項１の発明は、合成樹脂により中空状に形成された樹脂製床板において、上記樹脂製床板の側面には、その内部に連通する通孔が形成され、この通孔は空気を通して液体を遮断する膜体によって閉塞されていることを特徴とする。
【００１１】
請求項１の発明によれば、床板に通孔を形成し、この通孔を、空気を通して液体を遮断する膜体によって閉塞したことで、上記床板が温度上昇しても内部の圧力が上昇するのを防止できるとともに、液体が内部に浸入するのも防止できる。
【００１２】
【発明の実施の形態】
以下、この発明の一実施の形態を図面を参照して説明する。
図４は、たとえば病院などで使用されるベッド１を示し、このベッド１はベッドフレ−ム２を備えている。このベッドフレ−ム２は一対の側部材３の長手方向両端をそれぞれ端部材４によって連結して矩形枠状に形成された枠状体５を有する。
【００１３】
上記枠状体５の長手方向両端にはそれぞれボ−ドフレ−ム６が設けられている。各ボ−ドフレ−ム６は、上記枠状体５の角部に中途部が連結された一対の脚部材７を備え、各脚部材７の下端にはキャスタ８が設けられている。一対の脚部材７間には上下方向に所定間隔で一対の横杆９が架設され、これら横杆９には幅方向に所定間隔で複数の縦杆１０が架設されている。
【００１４】
上記枠状体５には複数、この実施の形態では３枚の床板１１が幅方向両端部を上記枠状体５の側部材３に係合させて架設されている。この床板１１は、合成樹脂をブロ−成形や回転成形することで気密構造の中空状に成形されているとともに、その気密構造を損なうことなく上面側と下面側とを連通する複数の貫通孔１２が形成されている。この貫通孔１２は床板１１の上面側と下面側との通気性を確保し、上記床板１１上に載置されるマットレスＭに湿気がこもるのを防止するようになっている。
【００１５】
各床板１１の幅方向一端部の下面には、図１に示すようにこの床板１１の内部と外部とを連通させる通孔１３が穿設されている。この通孔１３には、連通路１４ａが形成され、一端面に膜体としての微多孔膜１５が貼着されることで上記連通路１４ａが閉塞された筒状キャップ１４が嵌合固定されている。上記微多孔膜１５は、空気分子を通すが、その空気分子よりも大きな液体分子を遮断する構成となっている。
【００１６】
このような構成のベッド１によれば、所定の患者が所定期間使用した場合や使用する患者が代わる場合などには、マットレスＭや床板１１が洗浄消毒される。マットレスＭは消毒用ガスによって殺菌消毒され、上記床板１１は温水で洗浄されたり、加熱消毒される。
【００１７】
上記床板１１を洗浄したり、消毒することで、この床板１１が加熱されると、内部の空気が膨張して圧力が上昇する。床板１１の内部圧力が上昇すると、その内部の空気は筒状キャップ１４の連通路１４ａから微多孔膜１５を通って外部に流出する。そのため、床板１１は内部圧力が上昇し過ぎて変形したり、損傷するということが防止される。
【００１８】
上記微多孔膜１５は空気を通すが、液体は遮断する。そのため、床板１１の洗浄時や消毒時に洗浄液や消毒液が内部に流入するということがないから、洗浄後に内部の水切り乾燥を行わなくてすむため、洗浄作業がし易いばかりか、内部に洗浄液や消毒液が残留して内部汚れが生じるということもない。
【００１９】
この発明は上記一実施の形態に限定されず、たとえばベッドとしては複数の床板のうち、利用者の背部に対応する部分が起伏駆動される背上げ式ベッドなどであってもよく、要は床板が使用されるベッドであれば、その床板にこの発明の構造を適用することができる。
また、ベッドに用いられる床板に限られず、ソファ−に床板が用いられる場合にはその床板にもこの発明の構造を適用することができる。
【００２０】
【発明の効果】
請求項１の発明によれば、床板に通孔を形成し、この通孔を、空気は通すが、液体は遮断する膜体によって閉塞した。
そのため、洗浄時や加熱消毒時などに床板が温度上昇しても、その内部の圧力が上昇し過ぎて変形したり、損傷するのを防止できる。しかも、洗浄時には床板の内部に上記通孔から洗浄液が入り込むのが防止されるから、洗浄後に内部の水切りを行わなくて済むため洗浄作業がし易いばかりか、内部が洗浄液によって汚れるということもない。
【図面の簡単な説明】
【図１】この発明の一実施の形態を示す床板の一部分の拡大断面図。
【図２】同じく床板の下面側を示す平面図
【図３】同じくテ−ブル板の通孔に設けられる筒状キャップと微多孔膜との斜視図。
【図４】同じく床板が設けられたベッドの斜視図。
【符号の説明】
１１…床板
１３…通孔
１５…微多孔膜（膜体）
【図１】
0003587656.tif 000002
【図２】
0003587656.tif 000003
【図３】
0003587656.tif 000004
【図４】
0003587656.tif 000005